(57)【特許請求の範囲】
【請求項１】
楽曲信号を出力するオーディオ機器と、出力される当該楽曲信号を所定形式にて録音するポータブル機器とが、楽曲信号ライン及びコントロールラインを含むケーブルを介して接続されたオーディオシステムであって、
前記オーディオ機器は、
楽曲の再生に伴う楽曲信号を、前記楽曲信号ラインを介してポータブル機器に出力する楽曲再生手段と、
前記楽曲再生手段により再生される楽曲についてのタイトルを含む曲情報を記憶する曲情報記憶手段と、
少なくとも録音開始を含む複数のコマンドを、対応する電圧値のコマンド信号にて、前記コントロールラインを介してポータブル機器に送信するコマンド送信手段と、
前記曲情報記憶手段に記憶される曲情報を、所定のシリアル通信にて前記コマンド信号の電圧値に混在させて、前記コントロールラインを介してポータブル機器に送信する情報送信手段と、を備え、
前記ポータブル機器は、
前記コントロールラインを介してオーディオ機器から送信されるコマンド信号から電圧値を取得し、当該電圧値に対応するコマンドを受信するコマンド受信手段と、
前記コントロールラインを介してオーディオ機器からシリアル通信により前記コマンド信号の電圧値に混在させて送信される曲情報を受信する情報受信手段と、
前記コマンド受信手段が受信したコマンドに基づいて、前記楽曲信号ラインを介してオーディオ機器から出力される楽曲信号を所定形式の楽曲データに変換して保存し、前記情報受信手段が受信した曲情報を当該楽曲データに付加する録音手段と、を備える、
ことを特徴とするオーディオシステム。
【請求項２】
前記コマンド送信手段は、前記楽曲再生手段における楽曲の再生に合わせて、録音開始、トラックマーク作成、及び、録音停止の何れかのコマンドをポータブル機器に送信し、
前記情報送信手段は、コマンド送信手段が録音開始又はトラックマーク作成のコマンドを送信してから録音停止のコマンドを送信するまでの間に限り、前記コントロールラインの電圧レベルをＨＩＧＨ／ＬＯＷ変化させるシリアル通信により曲情報をポータブル機器に送信し、
前記コマンド受信手段は、録音開始のコマンドを受信した後に、前記情報受信手段を受信可能に制御し、録音停止のコマンドを受信した後に、前記情報受信手段を受信不可に制御する、
ことを特徴とする請求項１に記載のオーディオシステム。
【請求項３】
前記コマンド受信手段は、前記コントロールラインを介して送信される信号の電圧値が安定しているかどうかを判定し、シリアル通信による誤作動を防止する、
ことを特徴とする請求項１又は２に記載のオーディオシステム。
【請求項４】
前記情報送信手段は、ＵＡＲＴ（Universal Asynchronous Receiver Transmitter）通信により、曲情報を送信し、
前記情報受信手段は、ＵＡＲＴ通信により、曲情報を受信する、
ことを特徴とする請求項１乃至３の何れか１項に記載のオーディオシステム。
【請求項５】
楽曲信号を出力するオーディオ機器と、出力される当該楽曲信号を所定形式にて録音するポータブル機器とが、楽曲信号ライン及びコントロールラインを含むケーブルを介して接続されたオーディオシステムにおける情報通信方法であって、
オーディオ機器にて、楽曲の再生に伴う楽曲信号を、楽曲信号ラインを介してポータブル機器に出力する楽曲再生ステップと、
オーディオ機器にて、少なくとも録音開始を含む複数のコマンドを、対応する電圧値のコマンド信号にて、コントロールラインを介してポータブル機器に送信するコマンド送信ステップと、
オーディオ機器にて、再生される楽曲についてのタイトルを含む曲情報を、所定のシリアル通信にて前記コマンド信号の電圧値に混在させて、コントロールラインを介してポータブル機器に送信する情報送信ステップと、
ポータブル機器にて、コントロールラインを介してオーディオ機器から送信されるコマンド信号から電圧値を取得し、当該電圧値に対応するコマンドを受信するコマンド受信ステップと、
ポータブル機器にて、コントロールラインを介してオーディオ機器からシリアル通信により前記コマンド信号の電圧値に混在させて送信される曲情報を受信する情報受信ステップと、
ポータブル機器にて、前記コマンド受信ステップが受信したコマンドに基づいて、楽曲信号ラインを介してオーディオ機器から出力される楽曲信号を所定形式の楽曲データに変換して保存し、前記情報受信ステップが受信した曲情報を当該楽曲データに付加する録音ステップと、
を備えることを特徴とする情報通信方法。
【請求項６】
楽曲信号を出力するオーディオ機器であって、
楽曲の再生に伴う楽曲信号を、オーディオ機器に接続された楽曲信号ラインを介して外部機器に出力する楽曲再生手段と、
前記楽曲再生手段により再生される楽曲についてのタイトルを含む曲情報を記憶する曲情報記憶手段と、
少なくとも録音開始を含む複数のコマンドを、対応する電圧値のコマンド信号にて、オーディオ機器に接続されたコントロールラインを介して外部機器に送信するコマンド送信手段と、
前記曲情報記憶手段に記憶される曲情報を、所定のシリアル通信にて前記コマンド信号の電圧値に混在させて、前記コントロールラインを介して外部機器に送信する情報送信手段と、
を備えることを特徴とするオーディオ機器。
【請求項７】
外部機器より入力された楽曲信号を録音するポータブル機器であって、
前記楽曲信号を、ポータブル機器に接続された楽曲信号ラインを介して外部機器より入力する楽曲入力手段と、
少なくとも録音開始を含む複数のコマンドを、対応する電圧値のコマンド信号にて、ポータブル機器に接続されたコントロールラインを介して外部機器より受信するコマンド受信手段と、
前記コントロールラインを介して外部機器からシリアル通信により前記コマンド信号の電圧値に混在させて送信される曲情報を受信する情報受信手段と、
前記コマンド受信手段が受信したコマンドに基づいて、前記楽曲信号ラインを介してオーディオ機器から出力される楽曲信号を所定形式の楽曲データに変換して保存し、前記情報受信手段が受信した曲情報を当該楽曲データに付加する録音手段と、
を備えることを特徴とするポータブル機器。
【発明の詳細な説明】
【技術分野】
【０００１】
この発明は、オーディオシステム、および、情報通信方法に関する。
【背景技術】
【０００２】
近年、不揮発性メモリに楽曲データ等を記憶するデジタルプレーヤと呼ばれるポータブル機器が開発され、市販されている。このようなポータブル機器は、従来の携帯型のＣＤプレーヤやＭＤプレーヤ等と比べて、音飛びが発生しないこと、また、より多くの楽曲データを記憶できること、そして、より小型化（薄型化）・軽量化されたこと等から、広く普及してきている。
【０００３】
ところで、ポータブル機器を遠隔操作する手法として、従来より、有線接続したリモコン（リモートコントローラ）やオーディオ機器からコマンドを送信するのが一般的であった。
例えば、図５（ａ）に示すように、ＡＤ（Analog to Digital）変換部１０１を有するポータブル機器１００と、抵抗分圧回路２０１を有する有線リモコン２００とが接続され、利用者による有線リモコン２００の操作により、各スイッチ（Ｓ１〜Ｓ３）の接続状態が変化し、所定の電圧値のコマンド信号がＡＤ変換部１０１に供給されるようになっている。
そして、ポータブル機器１００では、ＡＤ変換部１０１により変換して得たコマンド信号の電圧値に応じて、有線リモコン２００の操作に応じた処理を実行することになる。
【０００４】
具体的には、図５（ｂ）に示すように、各スイッチ（Ｓ１〜Ｓ３）の接続状態に応じて、異なる電圧値Ｖ0〜Ｖ3のコマンド信号がＡＤ変換部１０１に供給されることになる。そして、ポータブル機器１００は、例えば、電圧値Ｖ1〜Ｖ3のコマンド信号それぞれに対応する処理が予め定められており、ＡＤ変換部１０１により得たコマンド信号の電圧値Ｖnが電圧値Ｖ1〜Ｖ3の何れと等しい（所定の電圧幅でほぼ等しい）かにより、有線リモコン２００の操作に応じた処理を実行する。
つまり、図５（ｂ）の場合では、コマンド信号の電圧値Ｖnが電圧値Ｖ1と等しい（ほぼ等しい）場合に、スイッチＳ１が押されたと認識でき、ポータブル機器１００は、例えば、再生／一時停止の切り換えを行う。同様に、コマンド信号の電圧値Ｖnが電圧値Ｖ2と等しい場合に、スイッチＳ２が押されたと認識でき、例えば、再生トラックのスキップを行う。更に、コマンド信号の電圧値Ｖnが電圧値Ｖ3と等しい場合に、スイッチＳ３が押されたと認識でき、例えば、ボリュームの調整を行う。
【０００５】
また、有線リモコン２００の代わりに、上述した抵抗分圧回路２０１を有するオーディオ機器を用いて、オーディオ機器からポータブル機器１００を制御可能なオーディオシステムを構築することもできる。
なお、楽曲データを記録可能な媒体に、タイトル情報を容易に登録することのできるオーディオシステムも開示されている（例えば、特許文献１参照）。
【特許文献１】特開２００２−１３２２６９公報  （第５−９頁、第１図）
【発明の開示】
【発明が解決しようとする課題】
【０００６】
上述したような、分圧抵抗回路を用いて異なる電圧値のコマンド信号を送信する手法では、適宜、スイッチと抵抗器とを対で増加させて行くことにより、かなりの数までコマンド種類を増やすことが可能とも思える。
それでも、実際には、各抵抗器における抵抗値の誤差等を考慮し、各電圧値（Ｖ1，Ｖ2，Ｖ3,・・・）には、それぞれ、ある程度の電圧幅（電圧値が等しいと判別できるようにするための幅）を持たせる必要がある。このため、増やすことのできるコマンドの数には一定の限界があった。
【０００７】
このような限界は、ポータブル機器にオーディオ機器を有線接続した場合にも、当てはまるため、分圧抵抗回路を用いて所定種類の異なるコマンドを、オーディオ機器からポータブル機器に送信することはできても、コマンド以外の情報を送信することはできなかった。
具体的に、オーディオ機器にて再生した楽曲信号を、ポータブル機器にて録音する場合について説明する。この場合、オーディオ機器は、自己の楽曲再生に合わせて、録音開始や録音停止等に対応する電圧値のコマンド信号を、分圧抵抗回路を用いてポータブル機器に送信することで、録音動作を制御することができる。
しかしながら、オーディオ機器において、楽曲タイトル等の情報を管理していたとしても、このような情報は、上述した分圧抵抗回路を用いる場合の限界から、ポータブル機器に送ることができなかった。
【０００８】
なお、新たな信号ラインを別途追加し、分圧抵抗回路を用いたコマンド送信とは別の通信手法によって、楽曲タイトル等の情報をポータブル機器に送信することも考えられる。
しかしながら、ポータブル機器とリモコン／オーディオ機器との有線接続には、一般に、４Ｐ接続（Ｌ，Ｒ，コントロール，ＧＮＤ）のコネクタケーブルが広く用いられており、このような従来からの４Ｐ接続との互換性を維持することも、商品化の際の必要条件となっていた。
【０００９】
そのため、新たに信号ラインを増やすことなく、既存の信号ライン（コントロールライン等）を介して、楽曲タイトル等の情報を通信できることが求められていた。
本発明は、上記実状に鑑みてなされたもので、既存の信号ラインを介して、楽曲タイトル等の情報を通信することのできるオーディオシステム、および、情報通信方法を提供することを目的とする。
【課題を解決するための手段】
【００１０】
上記目的を達成するため、本発明の第１の観点に係るオーディオシステムは、
楽曲信号を出力するオーディオ機器と、出力される当該楽曲信号を所定形式にて録音するポータブル機器とが、楽曲信号ライン及びコントロールラインを含むケーブルを介して接続されたオーディオシステムであって、
前記オーディオ機器は、
楽曲の再生に伴う楽曲信号を、前記楽曲信号ラインを介してポータブル機器に出力する楽曲再生手段と、
前記楽曲再生手段により再生される楽曲についてのタイトルを含む曲情報を記憶する曲情報記憶手段と、
少なくとも録音開始を含む複数のコマンドを、対応する電圧値のコマンド信号にて、前記コントロールラインを介してポータブル機器に送信するコマンド送信手段と、
前記曲情報記憶手段に記憶される曲情報を、所定のシリアル通信にて前記コマンド信号の電圧値に混在させて、前記コントロールラインを介してポータブル機器に送信する情報送信手段と、を備え、
前記ポータブル機器は、
前記コントロールラインを介してオーディオ機器から送信されるコマンド信号から電圧値を取得し、当該電圧値に対応するコマンドを受信するコマンド受信手段と、
前記コントロールラインを介してオーディオ機器からシリアル通信により前記コマンド信号の電圧値に混在させて送信される曲情報を受信する情報受信手段と、
前記コマンド受信手段が受信したコマンドに基づいて、前記楽曲信号ラインを介してオーディオ機器から出力される楽曲信号を所定形式の楽曲データに変換して保存し、前記情報受信手段が受信した曲情報を当該楽曲データに付加する録音手段と、を備える、
ことを特徴とする。
【００１１】
前記コマンド送信手段は、前記楽曲再生手段における楽曲の再生に合わせて、録音開始、トラックマーク作成、及び、録音停止の何れかのコマンドをポータブル機器に送信し、
前記情報送信手段は、コマンド送信手段が録音開始又はトラックマーク作成のコマンドを送信してから録音停止のコマンドを送信するまでの間に限り、前記コントロールラインの電圧レベルをＨＩＧＨ／ＬＯＷ変化させるシリアル通信により曲情報をポータブル機器に送信し、
前記コマンド受信手段は、録音開始のコマンドを受信した後に、前記情報受信手段を受信可能に制御し、録音停止のコマンドを受信した後に、前記情報受信手段を受信不可に制御してもよい。
【００１２】
前記コマンド受信手段は、前記コントロールラインを介して送信される信号の電圧値が安定しているかどうかを判定し、シリアル通信による誤作動を防止してもよい。
【００１３】
前記情報送信手段は、ＵＡＲＴ通信により、曲情報を送信し、
前記情報受信手段は、ＵＡＲＴ通信により、曲情報を受信してもよい。
【００１４】
上記目的を達成するため、本発明の第２の観点に係る情報通信方法は、
楽曲信号を出力するオーディオ機器と、出力される当該楽曲信号を所定形式にて録音するポータブル機器とが、楽曲信号ライン及びコントロールラインを含むケーブルを介して接続されたオーディオシステムにおける情報通信方法であって、
オーディオ機器にて、楽曲の再生に伴う楽曲信号を、楽曲信号ラインを介してポータブル機器に出力する楽曲再生ステップと、
オーディオ機器にて、少なくとも録音開始を含む複数のコマンドを、対応する電圧値のコマンド信号にて、コントロールラインを介してポータブル機器に送信するコマンド送信ステップと、
オーディオ機器にて、再生される楽曲についてのタイトルを含む曲情報を、所定のシリアル通信にて前記コマンド信号の電圧値に混在させて、コントロールラインを介してポータブル機器に送信する情報送信ステップと、
ポータブル機器にて、コントロールラインを介してオーディオ機器から送信されるコマンド信号から電圧値を取得し、当該電圧値に対応するコマンドを受信するコマンド受信ステップと、
ポータブル機器にて、コントロールラインを介してオーディオ機器からシリアル通信により前記コマンド信号の電圧値に混在させて送信される曲情報を受信する情報受信ステップと、
ポータブル機器にて、前記コマンド受信ステップが受信したコマンドに基づいて、楽曲信号ラインを介してオーディオ機器から出力される楽曲信号を所定形式の楽曲データに変換して保存し、前記情報受信ステップが受信した曲情報を当該楽曲データに付加する録音ステップと、
を備えることを特徴とする。
上記目的を達成するため、本発明の第３の観点に係るオーディオ機器は、
楽曲信号を出力するオーディオ機器であって、
楽曲の再生に伴う楽曲信号を、オーディオ機器に接続された楽曲信号ラインを介して外部機器に出力する楽曲再生手段と、
前記楽曲再生手段により再生される楽曲についてのタイトルを含む曲情報を記憶する曲情報記憶手段と、
少なくとも録音開始を含む複数のコマンドを、対応する電圧値のコマンド信号にて、オーディオ機器に接続されたコントロールラインを介して外部機器に送信するコマンド送信手段と、
前記曲情報記憶手段に記憶される曲情報を、所定のシリアル通信にて前記コマンド信号の電圧値に混在させて、前記コントロールラインを介して外部機器に送信する情報送信手段と、
を備えることを特徴とする。
上記目的を達成するため、本発明の第４の観点に係るポータブル機器は、
外部機器より入力された楽曲信号を録音するポータブル機器であって、
前記楽曲信号を、ポータブル機器に接続された楽曲信号ラインを介して外部機器より入力する楽曲入力手段と、
少なくとも録音開始を含む複数のコマンドを、対応する電圧値のコマンド信号にて、ポータブル機器に接続されたコントロールラインを介して外部機器より受信するコマンド受信手段と、
前記コントロールラインを介して外部機器からシリアル通信により前記コマンド信号の電圧値に混在させて送信される曲情報を受信する情報受信手段と、
前記コマンド受信手段が受信したコマンドに基づいて、前記楽曲信号ラインを介してオーディオ機器から出力される楽曲信号を所定形式の楽曲データに変換して保存し、前記情報受信手段が受信した曲情報を当該楽曲データに付加する録音手段と、
を備えることを特徴とする。
【発明の効果】
【００１５】
本発明によれば、既存の信号ラインを介して、楽曲タイトル等の情報を通信することができる。
【発明を実施するための最良の形態】
【００１６】
本発明の実施の形態にかかるオーディオシステムについて、以下図面を参照して説明する。
【００１７】
図１は、この発明の実施形態に適用されるオーディオシステムの構成の一例を示す模式図である。
図示するように、このオーディオシステムは、ポータブル機器１と、オーディオ機器２とがケーブルを介して接続されて構成される。
このケーブルは、例えば、４Ｐ接続（Ｌ，Ｒ，コントロール，ＧＮＤ）のコネクタケーブルからなる。そして、Ｌ，Ｒ（Ｌｃｈ，Ｒｃｈライン）によって、オーディオ機器２にて再生された楽曲信号（Ｌｃｈ信号，Ｒｃｈ信号）をポータブル機器１に供給可能であり、また、コントロール（コントロールライン）によって、オーディオ機器２にて生成されたコマンド信号等（メタ情報が混在する場合あり）をポータブル機器１に供給可能となっている。
なお、このケーブルは、ポータブル機器１及び、オーディオ機器２との間で着脱自在であり、両機器は、それぞれ個別にも使用可能となっている。
【００１８】
ポータブル機器１は、例えば、録音機能を有するデジタルプレーヤ等からなり、データ保存部１１と、エンコード部１２と、コマンド受信部１３と、メタ情報受信部１４とを備えている。
なお、図中においては省略してあるが、ポータブル機器１には、他に、再生部、操作部、及び、表示部等が含まれているものとする。
【００１９】
データ保存部１１は、例えば、不揮発性メモリやハードディスク等からなり、複数の楽曲ファイルを記憶する。具体的にデータ保存部１１は、ＭＰ３（MPEG Audio Layer-3）データを楽曲ファイルとして記憶する。
このＭＰ３データは、エンコード部１２にてＭＰ３形式にてエンコード（圧縮等）されたものであり、後述するように、タグ情報も適宜付加されている。
【００２０】
エンコード部１２は、例えば、ダイレクトエンコードが可能であり、オーディオ機器２から供給される楽曲信号をＭＰ３データにエンコードして、データ保存部１１に保存する。
具体的にエンコード部１２は、コマンド受信部１３から録音開始が指示されると、楽曲信号のエンコードを開始し、楽曲ファイルを作成してエンコード中のＭＰ３データをデータ保存部１１に格納させる。また、メタ情報受信部１４からタグ情報が供給されると、作成中の楽曲ファイルにタグ情報を付加する。
そして、コマンド受信部１３からトラックマーク作成（曲の切り換え）が指示されると、作成中の楽曲ファイルを閉じる（作成完了とする）と共に、新たな楽曲ファイルを作成してエンコード中のＭＰ３データを格納する。更に、コマンド受信部１３から録音停止が指示されると、エンコードを終了し、作成中の楽曲ファイルを閉じる。
なお、録音停止時には、後述するＣＤ再生部２１にてノイズが発生し、楽曲信号にこのノイズが含まれる場合もあるため、エンコード部１２は、楽曲ファイルから、最後の一定時間分のデータを削除するようにしてもよい。
【００２１】
コマンド受信部１３は、例えば、ＡＤ変換回路等を有しており、オーディオ機器２から供給されるコマンド信号の電圧を測定し、その値（電圧値）に応じて定まるコマンドを受信する。
具体的にコマンド受信部１３は、図２（ａ）に示すように、録音開始、トラックマーク作成、及び、録音終了等のコマンドについて、それぞれ異なる電圧値（Ｖa，Ｖb，Ｖc等）が対応付けられており、測定したコマンド信号の電圧値が何れかの電圧値に等しい（所定の電圧幅でほぼ等しい）かによって、対応するコマンドを受信する。
そして、コマンド受信部１３は、受信したコマンドに応じて、エンコード部１２やメタ情報受信部１４に対して所定の指令を発する。
例えば、録音開始コマンドを受信すると、コマンド受信部１３は、エンコード部１２に録音開始を指示し、また、メタ情報受信部１４にＯＮ指令を発する（受信可能状態にする）。この他にも、トラックマーク作成コマンドを受信すると、コマンド受信部１３は、エンコード部１２に、トラックマーク作成（曲の切り換え）を指示する。更に、録音停止コマンドを受信すると、エンコード部１２に録音停止を指示し、また、メタ情報受信部１４にＯＦＦ指令を発する（受信禁止状態にする）。
なお、コマンド受信部１３は、後述するＵＡＲＴ（Universal Asynchronous Receiver Transmitter）通信中において、誤動作しないように、電圧監視を行っている。
一例として、コマンド受信部１３は、周期的に複数回の電圧測定を行い、電圧値が安定していたら（電圧値が複数回に渡ってほぼ同じ値であったら）、その電圧値に対応するコマンドを受信する。つまり、ＵＡＲＴ通信中は、電圧が高速に変化するため、この電圧監視によってコマンドでない（メタ情報である）と判別できる。
【００２２】
メタ情報受信部１４は、例えば、ＵＡＲＴ通信の受信回路等を有しており、オーディオ機器２から供給されるメタ情報（後述するタイトル名等の情報）を受信する。
具体的にメタ情報受信部１４は、図２（ｂ）に示すように、録音中にＵＡＲＴ通信によって送信されるメタ情報を受信する。なお、録音中の電圧値Ｖａは、メタ情報受信部１４がＵＡＲＴ通信の「ＨＩＧＨ」を認識するのに、十分なレベルである。仮に録音中の電圧値が、ＵＡＲＴ通信のＨＩＧＨ／ＬＯＷを分けるしきい値付近のレベルであった場合では、スイッチングが激しく起こり、メタ情報受信部１４等のハードウェアを破壊してしまうおそれもある。そのため、電圧値Ｖａは、ＨＩＧＨ認識に十分なレベルとなっている。
そして、メタ情報受信部１４は、このような録音中に限りメタ情報が受信できるように、コマンド受信部１３により制御される。つまり、コマンド受信部１３は、上述の録音開始コマンドを受信すると、メタ情報受信部１４に対してＯＮ指令を供給し、逆に、上述の録音停止コマンドを受信すると、ＯＦＦ指令を供給する。これにより、メタ情報受信部１４は、録音開始に伴いＯＮ指令が送られて、メタ情報を受信可能な状態となり、逆に、録音停止に伴いＯＦＦ指令が送られて、受信禁止な状態となる。
メタ情報受信部１４は、このようにしてメタ情報を受信すると、タグ情報を生成し、エンコード部１２に供給する。
具体的には、図３（ａ）に示すようなメタ情報を受信した場合、このメタ情報をデコードし、図３（ｂ）に示すようなタグ情報を生成する。
【００２３】
図１に戻って、オーディオ機器２は、例えば、音楽ＣＤ（Compact Disc）を再生するＣＤプレーヤ等からなり、ＣＤ再生部２１と、ＣＤＤＢ２２と、システムコントローラ２３と、外部入力部２４と、メタ情報送信部２５と、コマンド送信部２６とを備えている。
【００２４】
ＣＤ再生部２１は、システムコントローラ２３に制御され、装填された音楽ＣＤを再生する。そして、再生に伴い楽曲信号を出力してポータブル機器１に供給する。
また、ＣＤ再生部２１は、再生を開始する前（例えば、音楽ＣＤの装填時等）に、音楽ＣＤからＴＯＣ（Table Of Contents）情報を読み出し、ＣＤＤＢ２２に供給する。
なお、ＣＤ再生部２１は、音楽ＣＤを再生している際に、トラックチェンジ（次の楽曲への切り替わり）が発生すると、そのトラックチェンジを示すステータス情報をシステムコントローラ２３に供給する。また、同様に、音楽ＣＤの再生が終了（全曲の再生が完了等）すると、その再生終了を示すステータス情報をシステムコントローラ２３に供給する。
【００２５】
ＣＤＤＢ（CD Data Base）２２は、音楽ＣＤに収録された楽曲に関する種々の情報を提供するためのデータベースであり、例えば、市販されている多数の音楽ＣＤについての情報が、各ＴＯＣ情報に対応付けられ管理されている。
そして、ＣＤ再生部２１からＴＯＣ情報が供給されると、ＣＤＤＢ２２は、そのＴＯＣ情報に対応する情報を検索してメタ情報を生成する。例えば、タイトル名（楽曲タイトル）、アーティスト名、アルバム名、トラックＮｏ．、及び、ジャンル名等の情報を含むメタ情報を生成する。
ＣＤＤＢ２２は、このように生成したメタ情報をメタ情報送信部２５に供給する。
【００２６】
システムコントローラ２３は、メモリを備えたＣＰＵ（Central Processing Unit）等からなり、オーディオ機器２全体を制御する。
具体的に、システムコントローラ２３は、外部入力部２４から録音開始の指示が供給されると、コマンド送信部２６を制御して、録音開始コマンドをポータブル機器１に送信させる。また、同時期に、ＣＤ再生部２１を制御して、音楽ＣＤの再生を開始させる。そして、楽曲（トラック）の再生が開始されると、メタ情報送信部２５を制御して、対応するトラックについてのメタ情報をポータブル機器１に送信させる。
なお、システムコントローラ２３は、ＣＤ再生部２１からトラックチェンジのステータス情報が供給されると、コマンド送信部２６を制御して、トラックマーク作成コマンドをポータブル機器１に送信させる。そして、次の楽曲（トラック）の再生が開始されると、メタ情報送信部２５を制御して、そのトラックのメタ情報をポータブル機器１に送信させる。
更に、システムコントローラ２３は、ＣＤ再生部２１にて音楽ＣＤの再生が完了したり、外部入力部２４から録音終了の指示が供給されると、コマンド送信部２６を制御して、録音停止コマンドをポータブル機器１に送信させる。なお、システムコントローラ２３は、録音終了の指示が供給された場合に、再生中のＣＤ再生部２１に対して、停止を指示する。
【００２７】
外部入力部２４は、例えば、オーディオ機器２に配置された操作パネルや、操作リモコン等からなり、利用者の操作に応じて、所定の指示コマンドをシステムコントローラ２３に供給する。
具体的に外部入力部２４は、録音開始を指示するための「録音キー」や、録音等の停止を指示するための「停止キー」等を含んであり、利用者のキー操作に応じて、それぞれの指示コマンドを供給する。
【００２８】
メタ情報送信部２５は、例えば、ＵＡＲＴ通信の送信回路等を有しており、システムコントローラ２３に制御され、メタ情報をポータブル機器１に送信する。
具体的にメタ情報送信部２５は、上述した図３（ａ）に示すようなデータ構造のメタ情報を送信する。このメタ情報は、ＡＳＣＩＩの文字コード体系の場合を、一例として示しているが、他に、ＪＩＳ，ＳＪＩＳ，ＵＮＩＣＯＲＤ，ＵＴＦ８，ＥＵＣなどの文字コード体系で送信してもよい。また、このメタ情報には、一定バイト長のヘッダ（ヘッダ情報）が付加されているが、付加するヘッダ等もこの例に限られず、適宜変更可能である。
なお、メタ情報送信部２５は、このようなメタ情報を、録音中に限って送信するように、システムコントローラ２３に制御される。
【００２９】
コマンド送信部２６は、例えば、抵抗分圧回路等を有しており、システムコントローラ２３から供給されるコマンドに応じて電圧値が定められたコマンド信号をポータブル機器１に送信する。
具体的にコマンド送信部２６は、上述した図２（ａ）に示すように、録音開始、トラックマーク作成、及び、録音終了等のコマンドについて、それぞれ異なる電圧値（Ｖa，Ｖb，Ｖc等）が対応付けられており、システムコントローラ２３から供給されるコマンドに対応する電圧値のコマンド信号を生成して、ポータブル機器１に送信する。
【００３０】
以下、このような構成のオーディオシステムの動作について、図４等を参照して説明する。図４は、ポータブル機器１及びオーディオ機器２において連携して実行される録音処理を説明するためのフローチャートである。
この録音処理は、オーディオ機器２の外部入力部２４における「録音キー」が利用者により操作された際に開始される。なお、録音処理の開始前に（例えば、音楽ＣＤの装填時等）、ＣＤ再生部２１は、音楽ＣＤからＴＯＣ情報を読み出してＣＤＤＢ２２に供給しており、また、ＣＤＤＢ２２は、対応する音楽ＣＤについてのメタ情報を供給可能な状態となっているものとする。
【００３１】
まず、オーディオ機器２の外部入力部２４は、利用者による「録音キー」の操作に応答して、録音開始の指示をシステムコントローラ２３に供給する（ステップＳ１０１）。システムコントローラ２３は、この指示に応答して、コマンド送信部２６に録音開始コマンドを送信させる（ステップＳ１０２）。
具体的にコマンド送信部２６は、上述した図２（ａ）に示すような、録音開始コマンドに対応する電圧値Ｖaのコマンド信号を、ポータブル機器１に送信する。
【００３２】
ポータブル機器１のコマンド受信部１３は、コマンド信号の電圧値（Ｖa）により、録音開始コマンドを受信すると、エンコード部１２に録音開始を指示し、また、メタ情報受信部１４にＯＮ指令を供給する（ステップＳ１０３）。
このＯＮ指令により、メタ情報受信部１４は、メタ情報を受信可能な状態となる。
【００３３】
システムコントローラ２３は、ＣＤ再生部２１に音楽ＣＤの再生開始を指示する（ステップＳ１０４）。この指示に応答して、ＣＤ再生部２１は、楽曲（トラック）の再生を開始し、Ｌｃｈ，Ｒｃｈラインから楽曲信号を出力しポータブル機器１に供給する（ステップＳ１０５）。
【００３４】
エンコード部１２は、上述したステップＳ１０３における録音開始の指示に応答して、楽曲信号のエンコードを開始し、データ保存部１１に楽曲ファイルを作成し、エンコード中のＭＰ３データを格納する（ステップＳ１０６）。
【００３５】
システムコントローラ２３は、メタ情報送信部２５にＣＤＤＢ２２からのメタ情報を送信させる（ステップＳ１０７）。
具体的にメタ情報送信部２５は、上述した図２（ｂ）に示すように、録音中におけるＵＡＲＴ通信によって、ＴＯＣ情報に対応してＣＤＤＢ２２から供給される（再生中のトラックに対応する）メタ情報をポータブル機器１に送信する。より詳細には、上述した図３（ａ）に示すようなデータ構造のメタ情報を送信する。
【００３６】
メタ情報受信部１４は、送信されるメタ情報を受信すると、メタ情報からタグ情報を生成し、エンコード部１２に供給する（ステップＳ１０８）。つまり、図３（ａ）に示すようなメタ情報から、図３（ｂ）に示すようなタグ情報を生成して、エンコード部１２に供給する。
エンコード部１２は、現在録音中の楽曲ファイルに、このタグ情報を付加する（ステップＳ１０９）。
【００３７】
システムコントローラ２３は、ＣＤ再生部２１でトラックチェンジが発生したか否かを判別する（ステップＳ１１０）。
トラックチェンジが発生したと判別した場合に、システムコントローラ２３は、コマンド送信部２６にトラックマーク作成コマンドを送信させる（ステップＳ１１１）。
具体的にコマンド送信部２６は、上述した図２（ａ）に示すような、トラックマーク作成コマンドに対応する電圧値Ｖbのコマンド信号を、ポータブル機器１に送信する。
【００３８】
コマンド受信部１３は、コマンド信号の電圧値（Ｖb）により、トラックマーク作成コマンドを受信すると、エンコード部１２にトラックマーク作成（曲の切り換え）を指示する（ステップＳ１１２）。
エンコード部１２は、この指示に応答して、作成中（録音中）の楽曲ファイルを閉じ、新たな楽曲ファイルを作成してＭＰ３データを格納する（ステップ１１３）。
そして、上述したステップＳ１０７に処理を戻す。つまり、メタ情報送信部２５が、再生中の楽曲に対応するメタ情報を送信し、また、メタ情報受信部１４が、メタ情報からタグ情報を生成してエンコード部１２に供給し、そして、エンコード部１２が、録音中の楽曲ファイルにタグ情報を付加する。
【００３９】
一方、上述したステップＳ１１０にて、トラックチェンジが発生していないと判別した場合に、システムコントローラ２３は、録音終了の指示が外部入力部２４から供給されたか否かを判別する（ステップＳ１１４）。つまり、利用者によって外部入力部２４の「停止キー」が操作されたかどうかを判別する。
【００４０】
録音終了が指示されたと判別した場合に、システムコントローラ２３は、ＣＤ再生部２１に音楽ＣＤの再生停止を指示する（ステップＳ１１５）。この指示に応答して、ＣＤ再生部２１は、再生を停止する。
【００４１】
また、録音終了が指示されていないと判別した場合に、システムコントローラ２３は、ＣＤ再生部２１にて音楽ＣＤの再生（全再生）が終了したか否かを判別する（ステップＳ１１６）。
全再生が終了していないと判別した場合、上述のステップＳ１１０に処理を戻し、トラックチェンジの発生の有無を判別する。
【００４２】
また、全再生が終了したと判別した場合（上述のステップＳ１１５にてＣＤ再生部２１に再生停止を指示した場合も）、システムコントローラ２３は、コマンド送信部２６に録音停止コマンドを送信させる（ステップＳ１１７）。
具体的にコマンド送信部２６は、上述した図２（ａ）に示すような、録音停止コマンドに対応する電圧値Ｖcのコマンド信号を、ポータブル機器１に送信する。
【００４３】
コマンド受信部１３は、コマンド信号の電圧値（Ｖc）により、録音停止コマンドを受信すると、エンコード部１２に録音停止を指示し、また、メタ情報受信部１４にＯＦＦ指令を供給する（ステップＳ１１８）。
このＯＦＦ指令により、メタ情報受信部１４は、メタ情報を受信禁止な状態となる。
【００４４】
エンコード部１２は、録音停止の指示に応答して、作成中（録音中）の楽曲ファイルを閉じ、エンコードを終了する（ステップ１１９）。
【００４５】
このような録音処理によって、録音中にコントロールラインを利用したＵＡＲＴ通信によって、メタ情報をオーディオ機器２からポータブル機器１に送信でき、ポータブル機器１にて楽曲ファイルにタグ情報を自動的に付加することができる。
【００４６】
そして、ＵＡＲＴ通信が、録音中におけるコントロールラインを使用して行われるため、新たに信号ラインを増やすことなく、楽曲タイトル等の情報を通信できる。
この結果、既存の信号ラインを介して、楽曲タイトル等の情報を通信することができる。
【００４７】
上記の実施形態では、オーディオ機器２がＣＤＤＢ２２を備えている場合について説明したが、ＣＤＤＢ２２を備える代わりに、外部装置との通信機能を備えるようにし、インターネット上にて公開されている所定のＣＤＤＢにアクセスして、メタ情報を取得するようにしてもよい。また、ユーザがパソコン等の情報処理機器にＣＤＤＢを備えている場合にも、その情報処理機器のＣＤＤＢにアクセスして、メタ情報を取得するようにしてもよい。
【００４８】
また、上述のＣＤＤＢを利用する代わりに、再生対象の媒体にタイトル情報が記録されている場合には、その媒体からタイトル情報を取得するようにしてもよい。
例えば、再生対象の媒体が、ＣＤテキストや、ＭＤ（ミニディスク）等の場合に、その媒体から楽曲タイトル等の情報を直接取得する。
【００４９】
上記の実施形態では、オーディオ機器２（メタ情報送信部２５）と、ポータブル機器１（メタ情報受信部１４）とで、ＵＡＲＴ通信によりメタ情報を送信する場合について説明したが、ＵＡＲＴ通信に限られず、他の規格のシリアル通信でも適宜適用可能である。
【００５０】
上記の実施形態では、ポータブル機器１（エンコード部１２）が、ＭＰ３データにて録音し、タグ情報を付加する場合について説明したが、記憶するフォーマットは、ＭＰ３形式に限られず、適宜適応可能である。
例えば、ＷＭＡ、ＡＴＲＡＣ３、ＯＧＧ  Ｖｏｒｂｉｓ等の形式にて録音し、メタ情報を付加するようにしてもよい。
【００５１】
以上説明したように、本発明によれば、既存の信号ラインを介して、楽曲タイトル等の情報を通信することができる。
【図面の簡単な説明】
【００５２】
【図１】本発明の実施形態に適用されるオーディオシステムの構成の一例を示す模式図である。
【図２】（ａ）がコマンド信号の電圧値の一例を示す模式図であり、（ｂ）がＵＡＲＴ通信を説明するための模式図である。
【図３】（ａ）がメタ情報のデータ構造の一例を示す模式図であり、（ｂ）がメタ情報から生成されるタグ情報の一例を示す模式図である。
【図４】本発明の実施形態に適用される録音処理を説明するためのフローチャートである。
【図５】（ａ）が従来のポータブル機器と有線リモコンの概要を説明するための模式図であり、（ｂ）が有線リモコンにおけるスイッチと電圧値の関係を説明するための数式である。
【符号の説明】
【００５３】
１    ポータブル機器
１１  データ保存部
１２  エンコード部
１３  コマンド受信部
１４  メタ情報受信部
２    オーディオ機器
２１  ＣＤ再生部
２２  ＣＤＤＢ
２３  システムコントローラ
２４  外部入力部
２５  メタ情報送信部
２６  コマンド送信部
【図１】
0004482530.tif 000002
【図２】
0004482530.tif 000003
【図３】
0004482530.tif 000004
【図４】
0004482530.tif 000005
【図５】
0004482530.tif 000006